(57)【要約】カテーテル処置システムがコントローラを含み、これは、ガイドワイヤ前進／後退アクチュエータを使用してガイドワイヤを、一経路を通るように前進させることと、ガイドワイヤが所望の経路に存在するか否かを、少なくとも関心領域の少なくとも一つの画像に基づいて決定することと、ガイドワイヤが所望の経路に存在しない場合にガイドワイヤ回転アクチュエータを使用してガイドワイヤを回転させることであって、ガイドワイヤは所定量だけ回転させられることと、ガイドワイヤ前進／後退アクチュエータを使用してガイドワイヤを後退させることとを行うようにプログラムされる。ガイドワイヤ前進／後退アクチュエータ及びガイドワイヤ回転アクチュエータを使用してガイドワイヤを前進させるステップとガイドワイヤを後退及び回転させるステップとが、ガイドワイヤが所望の経路に存在するようになるまで繰り返される。ガイドワイヤは、ガイドワイヤ前進／後退アクチュエータを使用して所望の位置まで前進させられる。
2018500971.tif 000002
【特許請求の範囲】
【請求項１】
カテーテル処置の間にガイドワイヤをナビゲートする方法であって、
カテーテル処置システムを使用してガイドワイヤを、一経路を通るように前進させることと、
前記ガイドワイヤが所望の経路に存在するか否かを、関心領域の少なくとも一つの画像に少なくとも基づいて決定することと、
前記ガイドワイヤが前記所望の経路に存在しない場合に前記カテーテル処置システムを使用して前記ガイドワイヤを回転させることであって、前記ガイドワイヤは所定量だけ回転させられることと、
前記カテーテル処置システムを使用して前記ガイドワイヤを後退させることと、
前記カテーテル処置システムを使用して前記ガイドワイヤを前進させるステップと前記ガイドワイヤを回転及び後退させるステップとを、前記ガイドワイヤが前記所望の経路に存在するようになるまで繰り返すことと、
前記カテーテル処置システムを使用して前記ガイドワイヤを所望の位置まで前進させることと
を含む方法。
【請求項２】
前記ガイドワイヤを後退させることは、前記ガイドワイヤが回転させられている間に行われる請求項１に記載の方法。
【請求項３】
前記ガイドワイヤは所定量だけ後退させられる請求項１に記載の方法。
【請求項４】
前記少なくとも一つの画像は蛍光画像である請求項１に記載の方法。
【請求項５】
前記ガイドワイヤを前進させるステップと前記ガイドワイヤを後退及び回転させるステップとは、前記ガイドワイヤが前記所望の経路に存在することを指示するユーザ入力が受信されるまで繰り返される請求項１に記載の方法。
【請求項６】
前記ガイドワイヤは、前記ガイドワイヤを後退させるユーザ入力に応答して回転及び後退させられる請求項１に記載の方法。
【請求項７】
カテーテル処置の間にガイドワイヤをナビゲートする方法であって、
所定経路を画定する一セットのパラメータを受信することと、
カテーテル処置システムを使用してガイドワイヤを、前記所定経路を通るように自動的に前進させることと、
前記ガイドワイヤが前記所定経路に存在するか否かを、少なくとも関心領域の少なくとも一つの画像に基づいて決定することと、
前記ガイドワイヤが前記所定経路に存在しない場合に前記カテーテル処置システムを使用して前記ガイドワイヤを回転させることであって、前記ガイドワイヤは所定量だけ回転させられることと、
前記カテーテル処置システムを使用して前記ガイドワイヤを後退させることと、
前記ガイドワイヤが前記所定経路に存在する場合に、前記カテーテル処置システムを使用して前記ガイドワイヤを前進させるステップと前記ガイドワイヤを後退及び回転させるステップとを前記ガイドワイヤが前記所定経路に存在するようになるまで繰り返すことと、
前記カテーテル処置システムを使用して前記ガイドワイヤを所望の位置まで前進させることと
を含む方法。
【請求項８】
前記ガイドワイヤを後退させることは、前記ガイドワイヤが回転させられている間に行われる請求項７に記載の方法。
【請求項９】
前記ガイドワイヤは所定量だけ後退させられる請求項７に記載の方法。
【請求項１０】
前記少なくとも一つの画像は蛍光画像である請求項７に記載の方法。
【請求項１１】
カテーテル処置システムであって、
ガイドワイヤ、前記ガイドワイヤに結合されたガイドワイヤ前進／後退アクチュエータ、及び前記ガイドワイヤに結合されたガイドワイヤ回転アクチュエータを含むベッドサイドシステムと、
前記ベッドサイドシステムに結合されたワークステーションと
を含み、
前記ワークステーションは、
ユーザインタフェイスと、
少なくとも一つのディスプレイと、
前記ベッドサイドシステム、前記ユーザインタフェイス及び前記少なくとも一つのディスプレイに結合されたコントローラと
を含み、
前記コントローラは、
前記ガイドワイヤ前進／後退アクチュエータを使用して一経路を通るように前記ガイドワイヤを前進させることと、
前記ガイドワイヤが所望の経路に存在するか否かを、少なくとも関心領域の少なくとも一つの画像に基づいて決定することと、
前記ガイドワイヤが前記所望の経路に存在しない場合に前記ガイドワイヤ回転アクチュエータを使用して前記ガイドワイヤを回転させることであって、前記ガイドワイヤは所定量だけ回転させられることと、
前記ガイドワイヤ前進／後退アクチュエータを使用して前記ガイドワイヤを後退させることと、
ガイドワイヤ前進／後退アクチュエータ及び前記ガイドワイヤ回転アクチュエータを使用して前記ガイドワイヤを前進させるステップと前記ガイドワイヤを後退及び回転させるステップとを、前記ガイドワイヤが前記所望の経路に存在するようになるまで繰り返すことと、
前記ガイドワイヤ前進／後退アクチュエータを使用して前記ガイドワイヤを所望の位置まで前進させることと
を行うようにプログラムされるカテーテル処置システム。
【請求項１２】
前記ガイドワイヤを後退させることは、前記ガイドワイヤが回転させられている間に行われる請求項１１に記載のカテーテル処置システム。
【請求項１３】
前記少なくとも一つの画像は蛍光画像である請求項１１に記載のカテーテル処置システム。
【請求項１４】
前記ガイドワイヤを前進させるステップと前記ガイドワイヤを後退及び回転させるステップとは、前記ガイドワイヤが前記所望の経路に存在することを指示するユーザ入力が受信されるまで繰り返される請求項１１に記載のカテーテル処置システム。
【請求項１５】
カテーテル処置システムであって、
ガイドワイヤ、前記ガイドワイヤに結合されたガイドワイヤ前進／後退アクチュエータ、及び前記ガイドワイヤに結合されたガイドワイヤ回転アクチュエータを含むベッドサイドシステムと、
前記ベッドサイドシステムに結合されたワークステーションと
を含み、
前記ワークステーションは、
ユーザインタフェイスと、
少なくとも一つのディスプレイと、
前記ベッドサイドシステム、前記ユーザインタフェイス及び前記少なくとも一つのディスプレイに結合されたコントローラと
を含み、
前記コントローラは、
所定経路を画定する一セットのパラメータを、前記ユーザインタフェイスを使用して受信することと、
前記ガイドワイヤ前進／後退アクチュエータを使用して前記ガイドワイヤを、前記所定経路を通るように前進させることと、
前記ガイドワイヤが前記所定経路に存在するか否かを、少なくとも関心領域の少なくとも一つの画像に基づいて決定することと、
前記ガイドワイヤが前記所定経路に存在しない場合に前記ガイドワイヤ回転アクチュエータを使用して前記ガイドワイヤを回転させることであって、前記ガイドワイヤは所定量だけ回転させられることと、
前記ガイドワイヤ前進／後退アクチュエータを使用して前記ガイドワイヤを後退させることと、
前記ガイドワイヤ前進／後退アクチュエータ及び前記ガイドワイヤ回転アクチュエータを使用して前記ガイドワイヤを前進させるステップと同時に前記ガイドワイヤを後退及び回転させるステップとを、前記ガイドワイヤが前記所定経路に存在するようになるまで繰り返すことと、
前記ガイドワイヤ前進／後退アクチュエータを使用して前記ガイドワイヤを所望の位置まで前進させることと
を行うようにプログラムされるカテーテル処置システム。
【請求項１６】
前記ガイドワイヤを後退させることは、前記ガイドワイヤが回転させられている間に行われる請求項１５に記載のカテーテル処置システム。
【請求項１７】
前記少なくとも一つの画像は蛍光画像である請求項１５に記載のカテーテル処置システム。
【発明の詳細な説明】
【技術分野】
【０００１】
本発明は一般に、治療処置を行うカテーテルシステムの分野に関し、詳しくは、ガイドワイヤをナビゲートするカテーテル処置のシステム及び方法に関する。
【０００２】
関連特許出願の相互参照
本願は、「ガイドワイヤをナビゲートするシステムと方法」との名称の、２０１５年１１月１９日出願の米国特許出願第１４／９４６，１１７号、及び２０１４年１２月５日出願の米国仮出願第６２／０８７，８９０号の利益を主張する。
【背景技術】
【０００３】
血管疾患、特に心血管系疾患は、様々な方法で治療することができる。心臓バイパス手術のような外科手術は、心血管系疾患を治療する一つの方法である。しかしながら、一定の状況下において血管疾患は、血管形成術のような、カテーテルベースのインターベンション処置によって治療され得る。カテーテルベースのインターベンション処置は一般に、いくつかの他のタイプの処置よりも非侵襲的とみなされている。患者が心血管系疾患を呈する症状を示す場合、患者の心臓の画像を撮ることにより、患者の疾患の診断を支援して適切な治療コースを決定することができる。アテローム性動脈硬化症のような一定の疾患タイプに対しては、患者の心臓の画像は、一以上の冠動脈を閉塞する病変を示すことがある。診断手順に引き続き、患者は、カテーテルベースのインターベンション処置を受けることができる。一つのタイプのインターベンション処置の間、ガイドワイヤが、患者の身体の血管に挿入される。ガイドワイヤはその後、所望の場所、最も一般的には心臓血管の一つ又は血管系の他の場所まで前進させられる。カテーテルはその後、ガイドワイヤを経由してスライドされ、当該カテーテルが当該病変部位に到達するまで患者の動脈系を通るように動かされる。いくつかの処置において、カテーテルにはバルーン又はステントが装備される。これらは、病変部位において展開されると、当該病変の影響を受ける冠動脈の一部を通って流れる血流の増加を許容する。心血管系疾患に加え、他の疾患（例えば高血圧症等）も、カテーテル処置を使用して治療することができる。
【０００４】
ガイドワイヤを手動で挿入するべく医者は、当該ガイドワイヤの近位端にトルク及び軸方向押しつけ力を加え、その遠位端に先端方向かつ軸方向の前進をもたらす。ロボット式カテーテルシステムが開発されており、経皮的冠動脈インターベンション（ＰＣＩ）のようなカテーテル処置を行う医者を支援するべく使用され得る。医者は、例えば閉塞動脈を広げるべく、冠動脈ガイドワイヤ及びバルーン／ステント装置を正確に操舵するようにロボット式システムを使用する。ＰＣＩを行うべく、ガイドワイヤの遠位先端は、標的病変を通過する冠動脈の解剖学的構造を通るようにナビゲートする必要がある。医者は、蛍光透視を使用して冠動脈の解剖学的構造を観察しながら、ガイドワイヤの近位端を操作して当該遠位先端を、病変に向かう適切な血管の中へと向けつつ側枝に前進させないようにする。蛍光透視の限界、不十分な可視性、奥行き知覚の欠如、及び解剖学的構造とガイドワイヤとの整合性ゆえに、ガイドワイヤの近位端を回転させてその遠位先端を所望の場所へと正確に向けることは困難となり得る。
【０００５】
接合箇所を通過してナビゲートするのに必要な時間量を低減して全体的な処置時間を低減できるガイドワイヤのナビゲートのシステム及び方法を与えることが望ましい。
【先行技術文献】
【特許文献】
【０００６】
【特許文献１】米国特許出願公開第２０１０／０３３１６７０（Ａ１）号明細書
【発明の概要】
【０００７】
一実施形態によれば、カテーテル処置中にガイドワイヤをナビゲートする方法が、カテーテル処置システムを使用して一経路を通るようにガイドワイヤを前進させることと、当該ガイドワイヤが所望の経路にあるか否かを、少なくとも関心領域の少なくとも一つの画像に基づいて決定することと、当該ガイドワイヤが所望の経路に存在しない場合にカテーテル処置システムを使用して当該ガイドワイヤを回転させることであって、当該ガイドワイヤは所定量だけ回転させられることと、当該カテーテル処置システムを使用して当該ガイドワイヤを後退させることと、当該カテーテル処置システムを使用して当該ガイドワイヤを前進させるステップと当該ガイドワイヤを回転及び後退させるステップとを、当該ガイドワイヤが当該所望の経路に存在するようになるまで繰り返すことと、当該カテーテル処置システムを使用して当該ガイドワイヤを所望の位置まで前進させることとを含む。
【０００８】
他実施形態によれば、カテーテル処置中にガイドワイヤをナビゲートする方法が、所定経路を画定する一セットのパラメータを受信することと、カテーテル処置システムを使用してガイドワイヤを、当該所定経路を通るように自動的に前進させることと、少なくとも関心領域の少なくとも一つの画像に基づいて当該ガイドワイヤが当該所定経路に存在するか否かを決定することと、当該ガイドワイヤが当該所定経路に存在しない場合に当該カテーテル処置システムを使用して当該ガイドワイヤを回転させることであって、当該ガイドワイヤは所定量だけ回転させられることと、当該カテーテル処置システムを使用して当該ガイドワイヤを後退させることと、当該カテーテル処置システムを使用して当該ガイドワイヤを前進させるステップと当該ガイドワイヤを回転及び後退させるステップとを、当該ガイドワイヤが当該所定経路に存在するようになるまで繰り返すことと、当該カテーテル処置システムを使用して当該ガイドワイヤを所望の位置まで前進させることとを含む。
【０００９】
他実施形態によれば、カテーテル処置システムが、ガイドワイヤ、当該ガイドワイヤに結合されたガイドワイヤ前進／後退アクチュエータ、及び当該ガイドワイヤに結合されたガイドワイヤ回転アクチュエータを有するベッドサイドシステムと、当該ベッドサイドシステムに結合されたワークステーションとを含み、当該ワークステーションは、ユーザインタフェイスと、少なくとも一つのディスプレイと、当該ベッドサイドシステム、当該ユーザインタフェイス及び当該少なくとも一つのディスプレイに結合されたコントローラとを含み、当該コントローラは、当該ガイドワイヤ前進／後退アクチュエータを使用して一経路を通るように当該ガイドワイヤを前進させることと、当該ガイドワイヤが所望の経路に存在するか否かを、少なくとも関心領域の少なくとも一つの画像に基づいて決定することと、当該ガイドワイヤが当該所望の経路に存在しない場合に当該ガイドワイヤ回転アクチュエータを使用して当該ガイドワイヤを回転させることであって、当該ガイドワイヤは所定量だけ回転させられることと、当該ガイドワイヤ前進／後退アクチュエータを使用して当該ガイドワイヤを後退させることと、ガイドワイヤ前進／後退アクチュエータ及び当該ガイドワイヤ回転アクチュエータを使用して当該ガイドワイヤを前進させるステップと当該ガイドワイヤを回転及び後退させるステップとを、当該ガイドワイヤが当該所望の経路に存在するようになるまで繰り返すことと、当該ガイドワイヤ前進／後退アクチュエータを使用して当該ガイドワイヤを所望の位置まで前進させることとを行うようにプログラムされる。
【００１０】
他実施形態によれば、カテーテル処置システムが、ガイドワイヤ、当該ガイドワイヤに結合されたガイドワイヤ前進／後退アクチュエータ、及び当該ガイドワイヤに結合されたガイドワイヤ回転アクチュエータを有するベッドサイドシステムと、当該ベッドサイドシステムに結合されたワークステーションとを含み、当該ワークステーションは、ユーザインタフェイスと、少なくとも一つのディスプレイと、当該ベッドサイドシステム、当該ユーザインタフェイス及び当該少なくとも一つのディスプレイに結合されたコントローラとを含み、当該コントローラは、所定経路を画定する一セットのパラメータを、当該ユーザインタフェイスを使用して受信することと、当該ガイドワイヤ前進／後退アクチュエータを使用して当該ガイドワイヤを、当該所定経路を通るように前進させることと、少なくとも関心領域の少なくとも一つの画像に基づいて当該ガイドワイヤが当該所定経路にあるか否かを決定することと、当該ガイドワイヤが当該所定経路にない場合に当該ガイドワイヤ回転アクチュエータを使用して当該ガイドワイヤを回転させることとであって、当該ガイドワイヤは所定量だけ回転させられることと、当該ガイドワイヤ前進／後退アクチュエータを使用して当該ガイドワイヤを後退させることと、当該ガイドワイヤ前進／後退アクチュエータ及び当該ガイドワイヤ回転アクチュエータを使用して当該ガイドワイヤを前進させるステップと当該ガイドワイヤを同時に後退及び回転させるステップとを、当該ガイドワイヤが当該所定経路に存在するようになるまで繰り返すことと、当該ガイドワイヤ前進／後退アクチュエータを使用して当該ガイドワイヤを所望の位置まで前進させることとを行うようにプログラムされる。
【図面の簡単な説明】
【００１１】
本願は、同じ参照番号が同じ要素を参照する添付図面を併せて考慮することにより、以下の詳細な説明から十分に理解される。
【００１２】
【図１】典型的な実施形態に係るカテーテル処置システムの斜視図である。
【図２】典型的な実施形態に係るカテーテル処置システムのブロック図である。
【図３】典型的な実施形態に係る様々な駆動機構を描くカテーテル処置システムのブロック図である。
【図４】典型的な実施形態に係るロボット式カテーテルシステムを制御するコントローラのブロック図である。
【図５】典型的な実施形態に係る動き命令モジュールのブロック図である。
【図６】一実施形態に係るガイドワイヤをナビゲートする方法を例示する。
【図７】図７Ａ〜７Ｃは、一実施形態に係るガイドワイヤの典型的なナビゲーションを例示する。
【発明を実施するための形態】
【００１３】
典型的な実施形態を詳細に例示する図面を参照する前に、本出願が、本明細書に記載され又は図面に例示された詳細又は方法論に限られないことを理解すべきである。用語は、記載のみを目的とし、限定としてみなすべきでないことも理解すべきである。
【００１４】
図１を参照すると、カテーテル処置システム１０が示される。カテーテル処置システム１０は、カテーテルベースの医療処置（例えば経皮的インターベンション処置）を行うべく使用することができる。経皮的インターベンション処置は、患者の疾患の診断を支援するべく一以上のカテーテルが使用される診断カテーテル処置を含む。例えば、カテーテルベースの診断処置の一実施形態の間に、造影剤がカテーテルを介して一以上の冠動脈の中に注入され、患者の心臓の画像が撮られる。経皮的インターベンション処置はまた、カテーテルが疾患を治療するべく使用されるカテーテルベースの治療処置（例えばバルーン血管形成術、ステント留置、末梢血管疾患治療等）を含み得る。しかしながら、一定の特定経皮的インターベンションの装置又は構成要素（例えば、ガイドワイヤのタイプ、カテーテルのタイプ等）が、行われる処置のタイプに基づいて選択されると当業者であれば認識するであろうことに留意すべきである。カテーテル処置システム１０は、任意数のカテーテルベースの医療処置を、当該処置に使用される特定の経皮的装置に対応するわずかな調整により行うことができる。特に、ここに記載されるカテーテル処置システム１０の実施形態が主に、冠動脈疾患の診断及び／又は治療に関連して説明されるにもかかわらず、カテーテル処置システム１０は、カテーテルベースの処置を介した診断及び／又は治療を受けやすい任意タイプの疾患又は病状を診断及び／又は治療するべく使用することができる。例えば、カテーテル処置システム１０は、腎臓を衰弱させる一定の神経を不活性にして高血圧を制御するべく高周波放射カテーテルを利用する高血圧の治療に使用することができる。
【００１５】
カテーテル処置システム１０は、ラボユニット１１及びワークステーション１４を含む。カテーテル処置システム１０は、ロボット式カテーテルシステムを含む。これは、患者２１に隣接するラボユニット１１の中に配置されたベッドサイドシステム１２として示される。一般に、ベッドサイドシステム１２には、カテーテルベースの医療処置を行うことをユーザに許容する適切な経皮的装置（例えばガイドワイヤ、ガイドカテーテル、作業カテーテル、カテーテルバルーン、ステント、診断カテーテル等）又は他の構成要素（例えば造影剤、薬剤等）が装備され得る。ベッドサイドシステム１２のようなロボット式カテーテルシステムは、ロボット式システムを介してカテーテルベースの医療処置を、ワークステーション１４に配置された制御のような様々な制御を動作させることによって行うことをユーザに許容するように構成された任意のシステムであり得る。ベッドサイドシステム１２は、ここに記載される機能をベッドサイドシステム１２に与える任意の数及び／又は組み合わせの構成要素を含み得る。ベッドサイドシステム１２の様々な実施形態は、その全体がここに参照として組み入れられる２００９年５月４日出願の国際出願第ＵＳ２００９／０４２７２０号に詳しく記載される。
【００１６】
一実施形態において、ベッドサイドシステム１２は、カテーテルベースの診断処置を行うように装備される。この実施形態において、ベッドサイドシステム１２には、造影剤を冠動脈に送達する様々なカテーテルの一以上のが装備され得る。一実施形態において、ベッドサイドシステム１２には、造影剤を心臓の左側の冠動脈に送達する形状とされた第１カテーテルと、造影剤を心臓の右側の冠動脈に送達する形状とされた第２カテーテルと、造影剤を心室に送達する形状とされた第３カテーテルとが装備され得る。
【００１７】
他実施形態において、ベッドサイドシステム１２は、カテーテルベースの治療処置を行うように装備され得る。この実施形態において、ベッドサイドシステム１２には、ガイドカテーテル、ガイドワイヤ及び作業カテーテル（例えばバルーンカテーテル、ステント送達カテーテル、アブレーションカテーテル等）が装備され得る。一実施形態において、ベッドサイドシステム１２には、処置中にガイドワイヤが通される２次管腔を含む作業カテーテルが装備され得る。他実施形態において、ベッドサイドシステム１２には、処置中にガイドワイヤが通される中心管腔を含むワイヤ経由作業カテーテルが装備され得る。他実施形態において、ベッドサイドシステム１２には、血管内超音波（ＩＶＵＳ）カテーテルが装備され得る。他実施形態において、ベッドサイドシステム１２のいずれの経皮的装置にも、身体内における構成要素の位置を示す位置センサが装備され得る。
【００１８】
ベッドサイドシステム１２は、ワークステーション１４と通信することにより、ユーザ入力及び／又はワークステーション１４の制御システムにより生成された信号が、ベッドサイドシステム１２の様々な機能を制御するべくベッドサイドシステム１２に送信されることを許容する。ベッドサイドシステム１２はまた、フィードバック信号（例えば動作条件、警告信号、エラーコード等）をワークステーション１４に与え得る。ベッドサイドシステム１２は、通信リンク３８を介してワークステーション１４に接続されてよい。通信リンク３８は、ワークステーション１４とベッドサイドシステム１２との間に通信を生じさせるようにできる無線接続、ケーブルコネクタ又は任意の他の手段としてよい。
【００１９】
ワークステーション１４はユーザインタフェイス３０を含む。ユーザインタフェイス３０は制御器１６を含む。制御器１６によりユーザは、ベッドサイドシステム１２を制御してカテーテルベースの医療処置を行うことができる。例えば、制御器１６は、ベッドサイドシステム１２に、ベッドサイドシステム１２に装備され得る様々な経皮的装置を使用して様々なタスクを行わせるように構成することができる（例えば、ガイドワイヤの前進、後退若しくは回転、作業カテーテルの前進、後退若しくは回転、ガイドカテーテルの前進、後退若しくは回転、カテーテルに配置されたバルーンの膨張若しくは収縮、ステントの位置決め及び／若しくは展開、カテーテルへの造影剤の注入、カテーテルへの薬剤の注入、又はカテーテルベースの医療処置等の一部として行われる任意の他の機能の実行）。いくつかの実施形態において、当該経皮的インターベンション装置の一以上は操舵可能としてよく、制御器１６は、ユーザが一以上の操舵可能経皮的装置を操舵できるように構成することができる。一つのそのような実施形態において、ベッドサイドシステム１２には、操舵可能ガイドカテーテルが装備されてよく、制御器１６はまた、遠隔のワークステーション１４に位置するユーザが、操舵可能ガイドカテーテルの遠位先端の曲げを制御することができるように構成される。操舵可能ガイドカテーテルを含むカテーテルシステム１０のさらなる実施形態は、その全体がここに参照として組み入れられる２０１０年３月１７日出願の国際出願第ＵＳ２０１０／２７６６６号明細書に開示されている。
【００２０】
一実施形態において、制御器１６は、タッチ画面１８、専用ガイドカテーテル制御器２９、専用ガイドワイヤ制御器２３及び専用作業カテーテル制御２５を含む。この実施形態において，ガイドワイヤ制御器２３は、ガイドワイヤを前進、後退又は回転させるように構成されたジョイスティックであり、作業カテーテル制御器２５は、作業カテーテルを前進、後退又は回転させるように構成されたジョイスティックであり、ガイドカテーテル制御器２９は、ガイドカテーテルを前進、後退又は回転させるように構成されたジョイスティックである。加えて、タッチ画面１８は、ベッドサイドシステム１２を介して一以上の経皮的装置の動きを制御し、又は以下に述べるユーザからの様々な入力を受信するための（アイコン１６２、１６４及び１６６のような）一以上のアイコンを表示することができる。制御器１６はまた、バルーン及び／又はステントを膨張又は収縮させるように構成されたバルーン又はステントの制御器も含んでよい。各制御は、特定の構成要素の制御に望ましい、当該制御が専用の一以上のボタン、ジョイスティック、タッチ画面等を含んでよい。以下に詳述されるように、カテーテル処置システム１０は、経皮的装置の動きアルゴリズムモジュール又は動き命令モジュール１１４を含む。これらは、ベッドサイドシステム１２がどのようにして、制御器１６のユーザ操作に応答して経皮的装置を特定の態様で動かせるようにするかを指示する。
【００２１】
制御器１６は、緊急停止ボタン３１及び乗算器ボタン３３を含み得る。緊急停止ボタン３１が押されると、リレーがトリガーを受け、ベッドサイドシステム１２への電力供給を遮断する。乗算器ボタン３３は、関連づけられた構成要素が、ガイドカテーテル制御器２９、ガイドワイヤ制御器２３及び作業カテーテル制御器２５の操作に応答して動かされる速度を増加又は減少させる役割を果たす。例えば、ガイドワイヤ制御器２３の動作によりガイドワイヤが１ｍｍ／秒の速度で前進する場合、乗算器ボタン３３を押すことにより、ガイドワイヤ制御器２３の動作は、ガイドワイヤを２ｍｍ／秒の速度で前進させるようになる。乗算器ボタン３３は、乗算器効果のオン及びオフを切り替えるトグルであってよい。他実施形態において、乗算器ボタン３３は、制御器１６の動作中に構成要素の速度を増加させるようにユーザが押し下げる必要がある。
【００２２】
ユーザインタフェイス３０は、第１モニタ２６及び第２モニタ２８を含み得る。第１モニタ２６及び第２モニタ２８は、情報又は患者固有データを、ワークステーション１４にいるユーザに表示するように構成してよい。例えば、第１モニタ２６及び第２モニタ２８は、画像データ（例えばＸ線画像、ＭＲＩ画像、ＣＴ画像、超音波画像等）、血行動態データ（例えば血圧、心拍数等）、患者記録情報（病歴、年齢、体重等）を表示するように構成してよい。加えて、第１モニタ２６及び第２モニタ２８は、処置固有情報（例えば処置の持続時間、カテーテル又はガイドワイヤの位置、送達される薬剤又は造影剤の容量等）を表示するように構成してよい。一実施形態において、ユーザは、モニタ２６及び２８に表示された様々なアイコン又は情報と対話し又は選択することを、ユーザ入力装置又は制御器（例えばマウス）を使用して行うことができる。モニタ２６及びモニタ２８は、操舵可能ガイドカテーテルの遠位先端の位置及び／又は曲げに関する情報を表示するように構成してよい。さらに、モニタ２６及びモニタ２８は、以下に記載されるコントローラ４０の様々なモジュールに関連づけられた機能を与えるための情報を表示するように構成してよい。他実施形態において、ユーザインタフェイス３０は、ここに記載されるディスプレイ構成要素及び／又はタッチ画面構成要素の一以上を表示するのに十分なサイズの単数の画面を含む。
【００２３】
カテーテル処置システム１０はまた、ラボユニット１１の中に配置されたイメージングシステム３２も含む。イメージングシステム３２は、カテーテルベースの医療処置（例えば非デジタルＸ線、デジタルＸ線、ＣＴ、ＭＲＩ、超音波等）と併せて使用することができる任意の医療イメージングシステムであってよい。典型的な実施形態において、イメージングシステム３２は、ワークステーション１４と通信するデジタルＸ線イメージング装置である。図１に示されるように、イメージングシステム３２は、Ｃ字アームを含んでよい。これにより、イメージングシステム３２は、患者２１に対して異なる角度位置での画像（例えば矢状図、尾側図、頭尾側図等）を得るべく、患者２１まわりを部分的に又は完全に回転することができる。
【００２４】
イメージングシステム３２は、特定の処置中に、患者２１の適切な領域のＸ線画像を撮るように構成される。例えば、イメージングシステム３２は、心臓の病状を診断するべく当該心臓の一以上のＸ線画像を撮るように構成してよい。イメージングシステム３２はまた、カテーテルベースの医療処置中に一以上のＸ線画像（例えばリアルタイム画像）を撮るように構成し、当該処置中にガイドワイヤ、ガイドカテーテル、作業カテーテル、ステント等を適切に位置決めするワークステーション１４のユーザを支援するようにしてよい。単数又は複数の画像を、第１モニタ２６及び／又は第２モニタ２８に表示してよい。
【００２５】
加えて、ワークステーション１４のユーザは、患者に対するイメージングシステム３２の角度位置を制御し、第１モニタ２６及び／又は第２モニタ２８における当該患者の心臓の様々な図を取得及び表示することができる。処置の異なる部分において異なる図を表示する支援により、ワークステーション１４のユーザは、患者の心臓の３Ｄ幾何学形状内で経皮的装置を適切に動かし及び位置決めすることができる。例えば、処置中に適切な図が表示されることによりユーザは、操舵可能ガイドカテーテルの遠位先端が、当該カテーテルが意図されたように動かされていることを保証する適切な態様で曲がっていることを保証するべく、患者の血管系を適切な角度から見ることができる。加えて、処置の異なる部分において異なる図が表示されることによりユーザは、以下に述べる動き命令モジュール１１４の適切な命令セットを選択する支援を受けることができる。典型的な実施形態において、イメージングシステム３２は、過去、現在又は未来の、Ｘ線ベースのコンピュータ断層撮影（ＣＴ）イメージング装置、磁気共鳴イメージング装置、３Ｄ超音波イメージング装置等のような任意の３Ｄイメージングモダリティとなり得る。この実施形態において、処置中に表示される患者の心臓の画像は、３Ｄ画像となり得る。加えて、制御器１６はまた、ワークステーション１４にいるユーザが、イメージングシステム３２の様々な機能（例えば画像のキャプチャ、拡大、コリメーション、Ｃ字アームの位置決め等）を制御することができるように構成され得る。
【００２６】
図２を参照すると、典型的な実施形態に係るカテーテル処置システム１０のブロック図が示される。カテーテル処置システム１０は、コントローラ４０として示される制御システムを含み得る。図２に示されるように、コントローラ４０は、ワークステーション１４の一部としてよい。コントローラ４０は、一以上のベッドサイドシステム１２、制御器１６、モニタ２６及び２８、イメージングシステム３２、並びに患者センサ３５（例えば心電図（「ＥＣＧ」）装置、脳波図（「ＥＥＧ」）装置、血圧モニタ、温度モニタ、心拍数モニタ、呼吸モニタ等）と通信する。加えて、コントローラ４０は、病院データ管理システム又は病院ネットワーク３４、一以上の追加出力装置３６（例えばプリンタ、ディスクドライブ、ＣＤ／ＤＶＤ書き込み器等）、及び病院在庫管理システム３７と通信してもよい。
【００２７】
カテーテル処置システム１０の様々な構成要素間の通信は、通信リンク３８を介して達成することができる。通信リンク３８は、専用の有線又は無線接続である。通信リンク３８はまた、ネットワークを介する通信を代表し得る。カテーテル処置システム１０は、明示的には示されない任意の他のシステム及び／又は装置に接続され、又はこれらを含むように構成してよい。例えば、カテーテル処置システム１０は、ＩＶＵＳシステム、画像プロセシングエンジン、データ記憶及びアーカイブシステム、自動バルーン及び／又はステント膨張システム、造影剤及び／又は薬剤注入システム、薬剤トラッキング及び／又はロギングシステム、ユーザログ、暗号化システム、カテーテル処置システム１０のアクセス又は使用を制限するシステム、過去、現在又は未来のロボット式カテーテルシステム等を含んでよい。膨張及び／又は造影剤注入システムを含むカテーテル処置システム１０のさらなる実施形態は、その全体がここに参照として組み入れられる２００９年１２月１０日出願の国際出願第ＵＳ２００９／６７５４０号明細書に開示されている。
【００２８】
図３を参照すると、典型的な実施形態に係るカテーテル処置システム１０の一実施形態のブロック図が示される。カテーテル処置システム１０は、関連付けられた経皮的装置を制御器１６のユーザ操作に応答して動かす様々な駆動機構を含んでよい。図示の実施形態において、カテーテル処置システム１０は、ガイドワイヤ駆動機構５０、作業カテーテル駆動機構５２及びガイドカテーテル駆動機構５４を含む。他実施形態において、カテーテル処置システム１０は、血管形成術又はステント送達バルーンを膨張させる駆動機構、及び造影剤を送達する駆動機構を含んでよい。図示の実施形態において、ガイドワイヤ駆動機構５０及び作業カテーテル駆動機構５２は、ベッドサイドシステム１２のベースに結合されたカセット５６の中に組み入れられる。ベッドサイドシステム１２及びカセット５６の追加実施形態は、その全体がここに参照として組み入れられる２００９年５月４日出願の国際出願第ＵＳ２００９／０４２７２０号明細書に詳しく記載されている。カテーテル処置システム１０のさらなる実施形態は、その双方の全体がここに参照として組み入れられる２０１０年３月１７日出願の国際出願第ＵＳ２０１０／２７６６６号明細書、及び２００９年１２月１０日出願の国際出願第ＵＳ２００９／６７５４０号明細書に詳しく記載されている。
【００２９】
ガイドワイヤ駆動機構５０は、ガイドワイヤ駆動機構５０がガイドワイヤ５８の前進、後退及び回転を引き起こすことができるようにガイドワイヤ５８に結合される。作業カテーテル駆動機構５２は、作業カテーテル駆動機構５２が作業カテーテル６０の前進、後退及び回転を引き起こすことができるように作業カテーテル６０に接続される。コネクタ６２が、ガイドカテーテル６４をガイドカテーテル駆動機構５４に結合することにより、ガイドカテーテル駆動機構５４は、ガイドカテーテル６４の前進、後退及び回転を引き起こすことができる。様々な実施形態において，ガイドワイヤ駆動機構５０、作業カテーテル駆動機構５２及びガイドカテーテル駆動機構はそれぞれが、対応する経皮的装置に係合するのに適切な係合構造（例えば一以上の対のピンチホイール）を含んでよい。これにより、駆動機構は、軸方向及び／又は回転の動きを経皮的装置に与えることができる。
【００３０】
Ｙ字コネクタ６６は、コネクタ６８を介してガイドカテーテル駆動機構５４に結合される。様々な実施形態において、コネクタ６８は、Ｙ字コネクタ６６及びガイドカテーテル駆動機構５４の双方とは別個の構成要素としてよい。他実施形態において、コネクタ６８は、Ｙ字コネクタ６６の一部（例えば、これと一体化され）、又は駆動機構５４の一部としてよい。図示の実施形態において、Ｙ字コネクタ６６はカセット５６にも接続される。
【００３１】
一実施形態において、Ｙ字コネクタ６６は、第１レッグ、第２レッグ及び第３レッグを含む。Ｙ字コネクタの第１レッグは、ガイドカテーテル６４の内部管腔に接続され、又は当該内部管腔に連通する。第２レッグは、ガイドカテーテル６４の長手方向軸から離れるように角度がつけられる。第２レッグは、流体（例えば造影剤、薬剤等）をガイドカテーテル６４の管腔に注入するためのポートを与える。Ｙ字コネクタ６６の第３レッグは、カセット５６に結合されてガイドワイヤ５８及び作業カテーテル６０の双方を受容する。すなわち、この配列により、ガイドワイヤ５８及び作業カテーテル６０は、Ｙ字コネクタ６６を通してガイドカテーテル６４の内部管腔へと挿入される。
【００３２】
ガイドワイヤ駆動機構５０は、回転アクチュエータ７０及び前進／後退アクチュエータ７２を含む。回転アクチュエータ７０は、ガイドワイヤ５８の、その長手方向軸まわりの回転を引き起こすように構成される。前進／後退アクチュエータ７２は、患者２１の中でガイドワイヤ５８を前進及び／又は後退させるように（すなわちガイドワイヤの長手方向軸に沿って前進及び／又は後退させるように）構成される。作業カテーテル駆動機構５２は、回転アクチュエータ７４、及び前進／後退アクチュエータ７６を含む。回転アクチュエータ７４は、作業カテーテル６０の、その長手方向軸まわりの回転を引き起こすように構成される。前進／後退アクチュエータ７６は、患者２１の中で作業カテーテル６０を前進及び／又は後退させるように（すなわち作業カテーテルの長手方向軸に沿って前進及び／又は後退させるように）構成される。ガイドカテーテル駆動機構５４は、回転アクチュエータ７８、前進／後退アクチュエータ８０及び曲げアクチュエータ８２を含む。回転アクチュエータ７８は、ガイドカテーテル６４の、その長手方向軸まわりの回転を引き起こすように構成される。前進／後退アクチュエータ８０は、患者２１の中でガイドカテーテル６４を前進及び／又は後退させるように（すなわちガイドカテーテルの長手方向軸に沿って前進及び／又は後退させるように）構成される。いくつかの実施形態において、ガイドカテーテル６４は、ユーザがガイドカテーテル６４の遠位先端の曲げを引き起こすことができる一以上の曲げ制御要素を含んでよい。そのような一実施形態において、曲げアクチュエータ８２は、ガイドカテーテル６４の遠位先端が、制御器１６のユーザ操作に応答して曲がるようにする。
【００３３】
図３のブロック図に示されるように、ワークステーション１４にある制御器１６及びコントローラ４０は、ベッドサイドシステム１２の様々な部分に通信可能に結合される。その結果、ユーザ及び／又は制御システムは、ガイドワイヤ５８、作業カテーテル６０及びガイドカテーテル６４、並びにベッドサイドシステム１２に装備された任意の他の経皮的装置の動きを制御することができる。図示の実施形態において、制御器１６及びコントローラ４０は、ユーザがガイドカテーテル６４を動かすことができるようにガイドカテーテル駆動機構５４に結合される。加えて、制御器１６及びコントローラ４０は、ユーザが、ガイドワイヤ駆動機構５０を介してガイドワイヤ５８を制御し、作業カテーテル駆動機構５２を介して作業カテーテル６０を制御することができるようにカセット５６に結合される。ワークステーション１４にある制御器及びコントローラが生成した制御信号１１６は、ここに記載される経皮的装置を制御するべくベッドサイドシステム１２へと通信される。
【００３４】
図４を参照すると、典型的な実施形態に係るコントローラ４０のブロック図が示される。コントローラ４０は一般に、カテーテル処置システム１０に、ここに記載される様々な機能を与えるのに適切な電子制御ユニットとしてよい。例えば、コントローラ４０は、組み込みシステム、専用回路、ここに記載される機能がプログラムされた汎用システムとしてよい。コントローラ４０は、プロセシング回路９０、メモリ９２、通信モジュール又はサブシステム９４、通信インタフェイス９６、処置制御モジュール又はサブシステム９８、シミュレーションモジュール又はサブシステム１００、支援制御モジュール又はサブシステム１０２、モード選択モジュール又はサブシステム１０４、在庫モジュール又はサブシステム１０６、ＧＵＩモジュール又はサブシステム１０８、データ記憶モジュール又はサブシステム１１０、及び記録モジュール又はサブシステム１１２を含む。
【００３５】
プロセシング回路９０は、モジュール又はサブシステム構成要素９４、９８〜１１４を与えるように構成された汎用プロセッサ、アプリケーション固有プロセッサ（ＡＳＩＣ）、一以上のプロセシング構成要素を含む回路、一群の分散プロセシング構成要素、プロセシングを目的に構成された一群の分散コンピュータ等としてよい。メモリ９２（例えばメモリユニット、メモリ装置、記憶装置等）は、本開示に記載される様々なプロセスをコンピューティングし及び／又は容易にするデータ及び／又はコンピュータコードを記憶する一以上の装置としてよい。メモリ９２は、揮発性メモリ及び／又は不揮発性メモリを含み得る。メモリ９２は、本開示に記載される様々なアクティビティをサポートするデータベース構成要素、オブジェクトコード構成要素、スクリプト構成要素、及び／又は任意の他のタイプの情報構造を含み得る。
【００３６】
典型的な実施形態によれば、過去、現在又は未来の任意の分散された及び／又はローカルのメモリ装置を、本開示のシステム及び方法とともに利用することができる。典型的な実施形態によれば、メモリ９２は、（例えば、回路、又は任意の他の有線、無線若しくはネットワーク接続を介して）プロセシング回路９０及びモジュール構成要素９４、９８〜１１４に通信可能に接続され、ここに記載される一以上のプロセスを実行するためのコンピュータコードを含む。単数のメモリユニットが、様々な個別のメモリ装置、チップ、ディスク及び／又は他の記憶構造若しくはシステムを含んでよい。
【００３７】
モジュール又はサブシステム構成要素９４、９８〜１１４は、各モジュールの対応機能を行うためのコンピュータコード（例えばオブジェクトコード、プログラムコード、コンパイル済みコード、スクリプトコード、実行可能コード又はこれらの任意の組み合わせ）、ハードウェア、ソフトウェア又はこれらの任意の組み合わせとしてよい。モジュール構成要素９４、９８〜１１４は、プロセシング回路９０又は他の適切なプロセシングシステムと通信するように構成されたメモリ９２又は一以上のローカル、分散及び／又は遠隔のメモリユニットに記憶されてよい。
【００３８】
通信インタフェイス９６は、コントローラ４０を、カテーテル処置システム１０の他の構成要素に通信リンク３８を介して通信可能に結合する一以上の構成要素を含む。通信インタフェイス９６は、通信リンク３８をコントローラ４０、アナログ・デジタル変換器、デジタル・アナログ変換器、信号プロセシング回路及び／又は他の適切な構成要素に物理的に結合する一以上のジャック又は他のハードウェアを含んでよい。通信インタフェイス９６は、コントローラ４０を、カテーテル処置システム１０の構成要素に無線接続を介して接続するように構成されたハードウェアを含んでよい。通信モジュール９４は、コントローラ４０の通信アクティビティ（例えば、接続のネゴシエーション、標準又は独自のプロトコルを介した通信等）をサポートするように構成される。
【００３９】
データ記憶モジュール１１０は、コントローラ４０による情報の記憶及び取得をサポートするように構成される。一実施形態において、データ記憶モジュール１１０は、画像データを含む患者固有データを記憶するデータベースである。他実施形態において、データ記憶モジュール１１０は、病院ネットワーク３４に配置されてよい。データ記憶モジュール１１０及び／又は通信モジュール９４はまた、コントローラ４０による使用のため病院ネットワーク３４から患者固有データをインポート及び／又はエクスポートするように構成してよい。
【００４０】
コントローラ４０はまた、カテーテルベースの医療処置の間にベッドサイドシステム１２の制御をサポートするように構成された処置制御モジュール９８も含む。処置制御モジュール９８によってユーザは、制御器１６を操作することによりベッドサイドシステム１２を動作させることができる。この制御を与えるべく、処置制御モジュール９８が、経皮的装置の動きアルゴリズム又は動き命令モジュール１１４と通信する。動き命令モジュール１１４は、ベッドサイドシステム１２がどのようにして、制御器１６のユーザ操作に応答して、ベッドサイドシステム１２に装備された経皮的装置（例えばガイドワイヤ、作業カテーテル、ガイドカテーテル等）の一以上の動きをもたらすのかを指示する一以上の動きアルゴリズム又は命令セット（例えば命令セットのライブラリ）を含む。様々な実施形態において、処置制御モジュール９８は、制御器１６のユーザ操作に基づいて、及び動き命令モジュール１１４が与える一以上のアクティブセットに基づいて、一以上の制御信号１１６を生成するように構成される。処置制御モジュール９８が生成する制御信号は、コントローラ４０から、ベッドサイドシステム１２の適切な単数又は複数のアクチュエータへと通信される。制御信号は、制御１６のユーザ操作に従い、及び動き命令モジュール１１４のアクティブな命令セットに従う、経皮的装置の動きを引き起こすように適切なアクチュエータを制御する。この態様において、経皮的装置の動きは、ワークステーション１４から制御され得る。処置制御モジュール９８はまた、特定の処置に適切なデータをモニタ２６及び２８に表示させるようにしてよい。処置制御モジュール９８はまた、様々なアイコン（例えばアイコン１６２、１６４、１６６等）を、ユーザがベッドサイドシステム１２の使用を制御するべく対話可能なタッチ画面１８に表示させるようにしてよい。
【００４１】
図５を参照すると、典型的な実施形態に係る動き命令モジュール１１４が描かれている。一実施形態において、動き命令モジュール１１４は、ユーザがベッドサイドシステム１２を介して経皮的装置の各動きを特定的に制御するように構成される。この実施形態において、動き命令モジュール１１４はユーザ制御命令セット１８０を含む。ユーザ制御命令セット１８０は、制御器１６が受信した特定の入力に応答してベッドサイドシステム１２に、（例えば、設定された速度で、設定された方向で等の）予め画定された設定態様での経皮的装置の（例えば前進、後退、回転等の）動きを引き起こさせる装置動き命令を含む。
【００４２】
例えば、動き命令モジュール１１４のユーザ制御命令セット１８０は、ガイドワイヤ制御２３が駆動されるときにベッドサイドシステム１２が、設定された速度でのガイドワイヤの前進、後退又は回転を引き起こすように構成してよい。すなわち、この実施形態において、動き命令モジュール１１４は、経皮的装置の動きの速度及び方向を、ユーザの制御器１６との対話に基づいてユーザが制御できるように構成される。すなわち、一定の処置に対しユーザは、制御器１６の操作により経皮的装置のあらゆる動きを直接的に制御したいとユーザが所望すれば、ユーザ制御命令セット１８０を選択し又はアクティブにすることができる。
【００４３】
一つの特定実施形態において、ベッドサイドシステム１２により引き起こされる経皮的装置が動く速度は、制御器の変位量に比例する。例えば、制御器２３、２５及び２９がジョイスティック制御器である場合、ユーザ制御命令セット１８０は、ベッドサイドシステム１２が引き起こす経皮的装置の動き速度が、静止位置からのジョイスティックの変位度に比例するように構成してよい。さらに、この実施形態において、ベッドサイドシステム１２により引き起こされる経皮的装置の動きの方向（例えば前進又は後退）は、静止位置からのジョイスティックの変位の方向に基づく。
【００４４】
上述のように、制御器１６は乗算器ボタン３３を含み得る。動き命令モジュール１１４は、乗算器ボタン３３がアクティブにされていないときにアクティブ又は動作可能である第１セットの命令と、乗算器ボタン３３がアクティブにされていると動作可能な第２セットの命令とを含んでよい。この実施形態において、第２セットの命令は、経皮的装置が、第１セットの命令の制御による動きよりも速くベッドサイドシステム１２により動かされるように構成される。すなわち、ユーザが乗算器ボタン３３を押すと、動き命令モジュール１１４の第２セットの命令がアクティブにされ、制御器１６の特定の動作ゆえに経皮的装置が動く速度の増加が引き起こされる。例えば、動き命令モジュール１１４の第１セットの命令が、制御器１６がフル駆動（例えばジョイスティック制御器のフル変位）されると作業カテーテルの毎秒１ｍｍの前進速度を指示する場合、動き命令モジュール１１４の第２セットの命令は、制御器１６がフル駆動されると当該作業カテーテルの毎秒２ｍｍの前進速度を引き起こし得る。
【００４５】
様々な実施形態において、動き命令モジュール１１４は、経皮的装置による特定タイプの動きをもたらす一連の複雑な動きの中でユーザが制御器１６を手動で操作する必要性なしに、ベッドサイドシステム１２を介して経皮的装置が一定の動きを行うことを容易にする様々なセットの命令を含んでよい。これらの実施形態において、ユーザは、動き特性を画定する特定の動き命令セットを選択し又はアクティブにすることができ、制御器１６がユーザによって操作されると、経皮的装置が当該動き特性に従って動かされる。すなわち、動き命令モジュール１１４は、各処置において一貫して行われるアクティブにされた命令セットに関連づけられた経皮的装置の特定の動きを許容することができる。特定の処置を行うのに必要な動き特性は、治療される状態のタイプ（例えば慢性的完全閉塞（ＣＴＯ）、部分閉塞等）、治療される病状の場所（例えば冠動脈、抹消動脈等）、治療される領域の幾何学的形状、使用される経皮的装置の特定タイプ（例えば製造元、モデル、サイズ等）のような因子に依存し得る。
【００４６】
一実施形態において、動き命令モジュール１１４は、軸方向ステップ動き特性命令セット１８２を含んでよい。これは、ユーザが経皮的装置の前進を引き起こすべく制御器１６を動作させるときに、ベッドサイドシステム１２が経皮的装置を、一連の小さな軸方向ステップ又はパルスで動かすように構成される。そのような一実施形態において、動き命令モジュール１１４の軸方向ステップ動き特性命令セット１８２は、ステップ距離（すなわち、例えば０．２ｍｍ、０．４ｍｍ、０．８ｍｍ、１ｍｍ、１．５ｍｍ、２ｍｍ等のような当該ステップの距離パラメータ）、ステップ持続時間（すなわち、例えば０．０５秒、０．１秒、０．３秒、０．５秒、１秒等のような、装置が当該ステップ距離を動くのにかかる時間長）、及び静止持続時間（すなわち、例えば０．０５秒、０．１秒、０．３秒、０．５秒、１秒等のようなステップ間の時間長）を特定することができる。そのようなパルス状の動きは、経皮的装置は、慢性的完全閉塞（ＣＴＯ）を横断できるように使用することができる。この実施形態において、経皮的装置の、その長手方向軸に沿った前進は、ステップ距離、ステップ持続時間及び静止持続時間によって画定される一連のパルス状軸方向ステップとして生じる。
【００４７】
他実施形態において、動き命令モジュール１１４の軸方向ステップ動き特性命令セット１８２は、ベッドサイドシステム１２が一以上の後退パルス（すなわち、装置を前進方向とは反対の方向に動かすパルス）を軸方向前進パルスと散在させて、ユーザが制御器１６を操作して経皮的装置の正味の前進を引き起こすように構成された動き特性を含んでよい。一実施形態において、動き命令モジュール１１４は、ベッドサイドシステム１２が、一セットの順方向パルスで経皮的装置を動かすように構成してよい。ユーザが制御器１６を操作して経皮的装置の前進を引き起こす間、当該一セットの順方向パルスに一以上の後退パルスが引き続き、当該一以上の後退パルスに第２セットの順方向パルスが引き続き等のようになる。そのような動き特性を利用した正味の順方向の進捗を保証するべく、命令セットは、各セットの順方向パルスの間に移動する距離が、後退パルスの間に移動する距離よりも大きくなることを保証する。後退パルスにより、経皮的装置は、さらなる前進に先立って構造物（例えば病変、血管壁等）との係合から外れることができる。様々な実施形態において、動き命令モジュール１１４は、ベッドサイドシステム１２に装備されるガイドワイヤ、作業カテーテル及びガイドカテーテルを含む任意の経皮的装置のパルス状の動きを引き起こすように構成してよい。
【００４８】
他実施形態において、動き命令モジュール１１４は、経皮的装置の前進／後退を引き起こす制御器１６のユーザ操作に応答して経皮的装置が前進及び／又は後退するときに、一設定速度で経皮的装置をベッドサイドシステム１２が回転させるように構成された自動回転動き特性命令セット１８４を含んでよい。そのような一実施形態において、動き命令モジュール１１４の自動回転動き特性命令セット１８４は、経皮的装置が前進又は後退するときに経皮的装置が経験する回転量（すなわち回転速度）を特定してよい。回転速度は、単位軸方向移動距離当たりの回転角度によって特定することができる（例えば、２ｍｍ移動ごとの３６０度の回転等）。または、単位軸方向移動時間当たりの回転角度によって特定することもできる（例えば、５秒の軸方向移動ごとの３６０度の回転）。この実施形態により、ユーザは、軸方向移動及び回転の双方を引き起こす制御器１６の手動操作の必要性なしに、経皮的装置によるドリル又はコルクスクリュー動作を行うことができる。様々な実施形態において、動き命令モジュール１１４は、ベッドサイドシステム１２に装備されるガイドワイヤ、作業カテーテル及びガイドカテーテルを含む任意の装置にそのような動きを引き起こす命令を含んでよい。
【００４９】
様々な実施形態において、コントローラ４０は、特定の動き特性に関連づけられたパラメータの一以上をユーザが設定又は選択することができるように構成される。例えば、ユーザは、上述した動き特性に対して所望のステップ距離、ステップ持続時間、静止持続時間、回転速度等を入力又は選択することができる。これらの実施形態において、制御器１６は、動き特性に関連づけられたパラメータをユーザが入力できるようにする少なくとも一つのユーザ入力装置又は制御器（例えばタッチ画面アイコン１６２、１６４、１６６、キーボード等）を含んでよい。
【００５０】
一実施形態において、制御器１６の一以上のユーザ入力装置は、動き命令モジュール１１４の動き命令セットの一つに関連づけられた専用ユーザ入力装置として、関連づけられたユーザ入力装置自体が、ベッドサイドシステム１２によって動き特性に従って経皮的装置を動かすようにしてよい。一実施形態において、処置制御モジュール９８は、一セットの動き命令（例えば特性１８２及び１８４）に関連づけられた一以上のアイコン（例えばアイコン１６２、１６４、１６６等）をタッチ画面１８上に表示するように構成してよい。動き命令セットに関連づけられたタッチ画面アイコンの一つをユーザが操作又はタッチすると、ベッドサイドシステム１２は、タッチ画面アイコンに関連づけられた命令セットに応じて経皮的装置を動かすように制御される。一実施形態において、制御器１６の一定のユーザ入力装置（例えば一以上のジョイスティック）により、ユーザによる経皮的装置の完全な又は特定の制御が可能となり、専用タッチ画面アイコンの操作によってベッドサイドシステムが、関連づけられた軸方向ステップ動き特性又は回転動き特性に応じた経皮的装置の前進を引き起こす。
【００５１】
一実施形態において、ベッドサイドシステム１２には、制御器１６のユーザ操作に応答して曲げアクチュエータ８２を介して遠位先端を曲げることにより操舵することができる操舵可能ガイドカテーテル６４が装備されてよい。この実施形態において、操舵可能ガイドカテーテル６４の遠位先端は、ガイドカテーテル６４を、特定の処置を行うのに適切に位置決めするように、特定の形状又は角度まで曲がることができる。動き命令モジュール１１４は、ベッドサイドシステム１２がガイドカテーテル６４の遠位先端を所望の位置まで動かすように構成された動き特性を画定する一以上の命令セットを含んでよい。一実施形態において、処置制御モジュール９８は、（アイコン１６２、１６４又は１６６のような）いくつかのアイコンをタッチ画面１８上に表示するように構成してよい。各アイコンは、異なる曲げ角度又は曲げ形状を指示し（例えば、３０度曲げのボタン、４０度曲げのボタン、ジャドキンス左４曲げのボタン、ジャドキンス右４曲げのボタン等）、ユーザが特定の角度曲げ又は曲げ形状のボタンを押すと、選択されたアイコンに関連づけられた動き命令モジュール１１４の命令セットが実行され、ガイドカテーテル６４の遠位先端が、選択されたアイコンに関連づけられた曲げ角度又は曲げ形状まで動かされる。
【００５２】
他実施形態において、動き命令モジュール１１４は、ベッドサイドシステム１２を使用して行われ得る様々なタイプのカテーテルベースの処置に固有の複数セットの命令を含んでよい。例えば、動き命令モジュール１１４は、ベッドサイドシステム１２が診断カテーテル処置を行うべく使用されている場合に実行される一セットの命令を含んでよい。これは、診断処置命令セット１８６として示される。また、ベッドサイドシステム１２が治療カテーテル処置を行うべく使用されている場合に実行される他セットの命令を含んでよい。これは、治療処置命令セット１８８として示される。この実施形態において、制御器１６は、カテーテル処置システム１０が診断又は治療処置に使用される予定にあるか否かをユーザが選択できるようにする少なくとも一つのユーザ入力装置（例えばタッチ画面アイコン１６２、１６４、１６６）を含んでよい。この実施形態において、制御器１６の一のユーザ入力装置（例えばタッチ画面アイコン１６２、１６４、１６６）が診断処置に関連づけられ、他のユーザ入力装置が治療処置に関連づけられてよい。関連づけられたユーザ入力装置のユーザの選択又は操作により、診断処置命令セット１８６又は治療処置命令セット１８８がアクティブにされる。
【００５３】
加えて、診断処置命令セット１８６又は治療処置命令セット１８８は、ベッドサイドシステム１２を使用して行うことができる様々なタイプの診断又は治療処置のための様々なサブセットの命令を含んでよい。一つのそのような実施形態において、制御器１６のユーザ入力装置（例えばタッチ画面アイコン１６２、１６４、１６６）が特定タイプの治療処置に関連づけられ、関連づけられたユーザ入力装置の選択又は操作により、行われる特定タイプの治療処置に関連する治療処置命令セット１８８の適切な命令セットがアクティブにされる。例えば、治療処置命令セット１８８は、ステント配置処置に関連づけられた第１命令セット、血管形成術処置に関連づけられた第２命令セット、アブレーション処置に関連づけられた第３命令セット等を含んでよい。すなわち、この実施形態において、ユーザは、関連づけられたユーザ入力装置を介して行われるタイプの治療処置を選択し、選択されたタイプの治療処置のための治療処置命令セット１８８の命令サブセットがアクティブにされる。
【００５４】
他実施形態において、動き命令モジュール１１４は、ベッドサイドシステム１２とともに使用可能な様々なタイプの経皮的装置に固有の複数セットの命令を含んでよい。これは、装置固有の命令セット１９０として示される。例えば、装置固有の命令セット１９０は、ベッドサイドシステム１２とともに使用され得る経皮的装置の異なるタイプ、製造元及び／又はモデルそれぞれに対する一セットの命令を含んでよい。そのような一実施形態において、特定のタイプ、製造元又はモデルの経皮的装置のための命令セットは、ベッドサイドシステム１２が予測するように経皮的装置が動かされることを保証するべく、装置の特性（例えば重量、直径、表面摩擦、剛性等）を説明することができる。加えて、特定の経皮的装置に対する命令セットは、ベッドサイドシステム１２が制御する装置のタイプ（例えばガイドワイヤ、ガイドカテーテル、作業カテーテル、血管形成術バルーン、ステント、アブレーションカテーテル、イメージングカテーテル等）に基づいてよい。
【００５５】
いくつかの経皮的装置は、病状の治療中に特定の態様で動かされ又は制御されるように設計される。装置固有の命令セット１９０は、そのような経皮的装置をその設計に整合する態様で動かすことをベッドサイドシステム１２に行わせる一以上の命令セットを含んでよい。例えば、一実施形態において、装置固有の命令セット１９０は、慢性的完全閉塞を横断するように特別に設計された装置（例えばＢｒｉｄｇｅＰｏｉｎｔＭｅｄｉｃａｌ製のＣｒｏｓｓＢｏｓｓ（登録商標）ＣＴＯカテーテル）を制御することをベッドサイドシステム１２に許容する一以上の命令セットを含んでよい。この実施形態において、動き命令モジュール１１４は、ＣｒｏｓｓＢｏｓｓ（登録商標）ＣＴＯカテーテルが、その特定の速度で回転することをベッドサイドシステム１２に許容する命令セットを含む。
【００５６】
他の典型的な実施形態において、装置固有の命令セット１９０は、Ａｒｄｉａｎ社が製造する高血圧治療のためのＳｙｍｐｌｉｃｉｔｙ（登録商標）カテーテルの制御をベッドサイドシステム１２に許容する一以上の命令セットを含んでよい。Ｓｙｍｐｌｉｃｉｔｙ（登録商標）カテーテルは、腎動脈内から一定の腎神経を失活させて高血圧を治療するべく、低出力の高周波エネルギーを放射する。この実施形態において、動き命令モジュール１１４は、Ｓｙｍｐｌｉｃｉｔｙ（登録商標）カテーテルに一定距離の後退、一定量の回転、並びに回転及び後退に引き続いての高周波エネルギーのパルス放射をさせる命令セットを含む。この実施形態において、後退距離及び回転量は、腎神経の適切な数を失活させて高血圧を治療する適切な場所にＳｙｍｐｌｉｃｉｔｙ（登録商標）カテーテルを位置決めするように決定される。
【００５７】
コントローラ４０はまた、シミュレーションモジュール又はサブシステム１００、支援モジュール又はサブシステム１０２、モード選択モジュール又はサブシステム１０４、在庫モジュール又はサブシステム１０６、ＧＵＩモジュール又はサブシステム１０８、データ記憶モジュール又はサブシステム１１０、及び記録モジュール又はサブシステム１１２も含む。一般に、シミュレーションモジュール１００は、記憶された血管画像データに基づき、及び制御器１６のユーザ操作にも基づき、シミュレーションされたカテーテル処置を実行するように構成される。一般に、支援モジュール１０２は、実際の及び／又はシミュレーションされたカテーテル処置の間にワークステーション１４にいるユーザに情報を与えて当該ユーザの当該処置の実行を支援するように構成される。シミュレーションモジュール１００及び支援モジュール１０２の特定実施形態を含むコントローラ４０の特定実施形態は、その全体がここに参照として組み入れられる２００９年８月２８日出願の国際出願第ＵＳ２００９／０５５３１８号明細書に詳しく記載されている。ＧＵＩモジュール１０８の特定実施形態を含むコントローラ４０の他の特定実施形態は、その全体がここに参照として組み入れられる２００９年８月２８日出願の国際出願第ＵＳ２００９／０５５３２０号明細書に記載されている。
【００５８】
上述した様々な典型的な実施形態において、動き命令モジュール１１４が、様々な命令セットを含むように記載された。しかしながら、動き命令モジュール１１４が、上述した命令セットの一以上の任意の組み合わせを含み得ることを理解すべきである。動き命令モジュール１１４が一を超える命令セットを含む任意の実施形態において、コントローラ４０は、自動的に又は受信したユーザ入力に基づいてのいずれかで一以上の適切な命令セットを選択し、特定の処置のためにアクティブにするように構成してよい。
【００５９】
様々な実施形態において、コントローラ４０は、動き命令モジュール１１４のどの単数又は複数の命令セットを選択して特定の処置をアクティブにするべきかを、制御器１６のユーザが選択できるように構成される。一つのそのような実施形態において、制御器１６の一以上のユーザ入力装置（例えばタッチ画面アイコン１６２、１６４、１６６、ボタン、スイッチ等）が、特定の動き命令セットに関連づけられてよく、関連づけられたユーザ入力装置の選択又は操作により、所望の動きパラメータ又は動き特性に関連する動き命令モジュール１１４の命令セットがアクティブになる。その後、関連づけられたユーザ入力装置の操作を介してアクティブにされた命令セットの一つにより、ユーザが制御器１６（例えばジョイスティック）を操作すると経皮的装置は、アクティブにされた動き命令セットに応じて動かされる。
【００６０】
一実施形態において、処置制御モジュール９８は、ユーザが選択できる動き命令モジュール１１４の利用可能な命令セットの一以上に関連づけられた情報を表示してよい。例えば、利用可能な命令セット（例えば、パルス状の軸方向の動きに対する命令セット、コルクスクリュー運動に対する命令セット、異なる経皮的装置に対する命令セット等）のリストが、ディスプレイ装置に表示されてよい。この実施形態において、ユーザはその後、マウス又はタッチ画面のような装置を使用して所望の命令セットをリストから選択し、その命令セットをアクティブにすることができる。動き命令モジュール１１４の命令セットがアクティブになると、制御信号１１６及びその結果の経皮的装置の動きは、制御器１６のユーザ操作に基づき、及びアクティブになった命令セットに基づく。一実施形態において、コントローラ４０は、動き命令モジュール１１４の各動き命令セットに関連づけられた別個のタッチ画面アイコンを表示するように構成される。他実施形態において、利用可能な各命令セットが、ユーザがマウスのような入力装置を介して所望の命令セットを選択できるリストとして表示されてよい（例えばドロップダウンメニュー）。
【００６１】
他実施形態において、コントローラ４０は、動き命令モジュール１１４の一以上の動き命令セットが一度にアクティブにされるように構成されてよい。この実施形態において、ユーザは、動き命令モジュール１１４の一以上の命令セットの任意の組み合わせを、関連づけられたユーザ入力装置を介してアクティブにすることができる。一実施形態において、ユーザは、一を超える命令セットを、利用可能な命令セットのリストから選択することができる。例えば、ユーザは、軸方向ステップ動き特性及び回転動き特性の双方を同時にアクティブにすることができる。その結果、制御器１６の操作により、ベッドサイドシステム１２が、経皮的装置の回転及びパルス状軸方向前進の双方の動きを引き起こす。他例として、ユーザは、一つの命令セットを選択することができる。ユーザがベッドサイドシステム１２を介して制御している装置のための一の装置固有命令セット１９０を選択してよく、（例えばパルス状の動き、コルクスクリューの動き等の）動きのタイプのための他の命令セットを選択してよい。他実施形態において、ユーザはまた、行われる処置のタイプ（例えば診断、治療等）に関連づけられた追加の命令セットを選択してよい。他実施形態において、以下に詳述されるように、動き命令モジュール１１４の利用可能な動き命令セットの一のサブセットが、ユーザによって選択可能であり（例えば特性１８２及び１８４）、動き命令モジュール１１４の利用可能な動き命令セットの他のサブセットが、コントローラ４０によって自動的に選択され得る。動き命令モジュール１１４の一以上の命令セットがひとたびアクティブにされると、ベッドサイドシステム１２は、制御器１６のユーザ操作に基づいて、及び一以上のアクティブにされた命令セットに基づいて動作する。
【００６２】
いくつかの実施形態において、処置制御モジュール９８は、動き命令モジュール１１４の利用可能な命令セットの一以上を、コントローラ４０にとって利用可能なデータ又はコントローラ４０が受信したデータに基づいて自動的に選択し又はアクティブにするように構成してよい。一実施形態において、自動的にアクティブにされる命令セットは、制御される経皮的装置の特徴に関連づけられる。様々な実施形態において、経皮的装置の特徴は、当該経皮的装置のタイプ、製造元、モデル及び物理的特性を含んでよい。一つのそのような実施形態において、ユーザは、一の処置のために使用される経皮的装置のタイプを指示することができる。処置制御モジュール９８は、その特定タイプの経皮的装置に関連づけられた命令セットを自動的にアクティブにすることができる。ユーザは、例えば、キーボードを介した経皮的装置の名称、モデル番号又は他の識別情報の入力、特定の経皮的装置のリストからの選択、経皮的装置に関連づけられたバーコードの、コントローラ４０と通信するバーコードリーダによるスキャン等のような任意の適切な手段によって経皮的装置のタイプを指示することができる。他実施形態において、カテーテル処置システム１０は、ベッドサイドシステム１２に装填されている経皮的装置に関連づけられた識別情報を含むＲＦＩＤタグを読み取るＲＦＩＤリーダを含んでよい。ＲＦＩＤリーダが読み取る識別情報又はデータはその後、処置制御モジュール９８へと通信され、処置制御モジュール９８は、ＲＦＩＤリーダが読み取った識別情報に基づいて動き命令モジュール１１４から適切な命令セットを選択することができる。
【００６３】
一実施形態において、支援モジュール１０２は、特定の処置のための動き命令モジュール１１４の適切な命令セットの選択を支援するべく、情報を（例えばモニタ２６及び／又は２８の表示を介して等）ユーザに与えるように構成することができる。一実施形態において、支援モジュール１０２は、特定の処置のために、どの命令セットをアクティブにすべきかに関してユーザに提案を表示する。一実施形態において、支援モジュール１０２が生成する表示は、診断又は治療処置の間に取得された患者の画像データの分析に基づいてよい。一実施形態において、支援モジュール１０２は、病変（例えばアテローム性動脈硬化症等）の一以上の特性（例えば密度、石灰化度等）を評価するように構成してよく、経皮的装置が病変を横切るのに適した動き命令セットを提案することができる。例えば、特定の病変が高い石灰化度を有するとして識別されると、支援モジュール１０２は、相対的に低いパルス持続時間のパルス状動き命令セットのような、経皮的装置が病変を横切ることを許容するのに適した動き命令セットを選択することができる。
【００６４】
上述のように、カテーテル処置システム１０は、カテーテルベースの医療処置を行うように使用することができる。典型的に、カテーテルベースの医療処置は、ガイドワイヤを患者の動脈系における所望の場所に配置すること（例えば、ガイドワイヤの遠位端を標的病変に又は標的病変を過ぎるように位置決めすること）を含む。コントローラ４０は、ガイドワイヤの遠位端が所望の場所に位置決めされるまで、患者の動脈系を通してガイドワイヤを前進させるようにベッドサイドシステム１２を操作するべく使用することができる。図６は、一実施形態に係るガイドワイヤをナビゲートする方法を例示する。ブロック３０２において、ガイドワイヤのナビゲーションプロセスが開始する。典型的な処置において、ガイドワイヤは、患者の切開部に、例えば大腿動脈内に挿入され得る。ブロック３０４において、ベッドサイドシステム１２は、動脈系を通してガイドワイヤを前進させるように動作される。一実施形態において、ユーザは、制御器１６の操作によってベッドサイドシステム１２を動作させる。例えば、コントローラ４０が、ユーザの入力及びベッドサイドシステム１２（例えばガイドワイヤ前進／後退アクチュエータ７２）の制御に基づいて、冠動脈の解剖学的構造を通る経路に沿ってガイドワイヤを前進させる制御信号を生成する。経路は、ユーザが与える入力に基づく離散的な長さステップで横切られてよい。他実施形態において、ユーザは、例えば標的病変への所定経路を画定する一セットのパラメータを与えてよい。この実施形態において、コントローラ４０は、ガイドワイヤを所定経路に沿って自動的に前進させるように構成される。例えば、コントローラ４０の動き命令モジュール１１４は、ベッドサイドシステム１２を制御してガイドワイヤを所定経路に沿って前進させるように構成されたガイドワイヤナビゲーションモジュール１９２（図５に示す）を含んでよい。
【００６５】
ブロック３０６において、ガイドワイヤが適切な経路を通って前進しているか否かが決定される。図７Ａは、心臓における病変への典型的な経路を例示する。図７Ａにおいて、ガイドワイヤ４０２は、ガイドカテーテル４０４を貫通して心臓４０６の動脈４１２へと向かう。標的病変４０８への経路は、例えば、冠動脈の解剖学的構造における一以上の接合箇所４１４を通過してよい。ガイドワイヤ４０２、特にガイドワイヤ４０２の遠位端４１０は、所望の場所、例えば標的病変４０８に到達する適切な血管を通して前進させる必要がある。一実施形態において、イメージングシステム３２は、標的病変への経路を示す関心領域の蛍光画像を与えるべく使用することができる。画像は（例えばモニタ２６、２８に）表示され、ガイドワイヤが所望の場所に到達するべく正しい経路（又は血管）を通過しているか否かを決定するために使用することができる。一実施形態において、ユーザは、ガイドワイヤの場所を決定するべくディスプレイ上の画像を見ることができる。他実施形態において、コントローラ４０は、ガイドワイヤの場所を決定するべく画像を処理するように構成されてよい。
【００６６】
図６に戻ると、ガイドワイヤが正しい経路に沿って前進されていない場合（例えば、ガイドワイヤが接合箇所において正しい血管又は枝管を進んでいない場合）、ユーザは、ガイドワイヤを後退させるようにベッドサイドシステム１２を動作させる入力を与えることができる。他実施形態において、コントローラ４０は、ガイドワイヤが正しい経路に沿って前進させられていないことが決定されると、ガイドワイヤを自動的に後退させるように構成してよい。この実施形態において、ガイドワイヤナビゲーションモジュール１９２は、ガイドワイヤを自動的に後退させるように構成してよい。ブロック３０８において、コントローラ４０（例えばガイドワイヤナビゲーションモジュール１９２）は、ガイドワイヤを後退させる制御信号に応答してベッドサイドシステム１２を制御し、ガイドワイヤを回転及び後退させるように構成される。一実施形態において、ガイドワイヤは回転させられ、次に後退させられる。他実施形態において、ガイドワイヤは、後退させられ、次に回転させられてよい。さらなる他実施形態において、ガイドワイヤは、同時に回転及び後退させられる。したがって、ガイドワイヤは、後退させられる間に回転させられる。一実施形態において、ガイドワイヤの近位端が、（例えばガイドワイヤ回転アクチュエータを使用して）所定量（例えば１８０度）だけ回転させられる。他実施形態において、ガイドワイヤは最初に、第１方向に第１量だけ回転させられ、その後、その反対方向に第２量だけ回転させられてよい。図７Ｂは、接合部４１４の前にある個所へと後退させられたガイドワイヤ４０２を示す。一実施形態において、ガイドワイヤ４０２は、ガイドワイヤの遠位端４１０を接合箇所４１４の前に位置決めする距離だけ後退させられる。上述のように、ガイドワイヤは後退させられながら回転させられる。他実施形態において、接合部４１４に先立って遠位端４１０を位置決めするべく複数回ガイドワイヤを後退させる必要がある場合、ガイドワイヤは、当該ガイドワイヤの第１後退とともに回転させられるのみとしてよい。
【００６７】
図６のブロック３１０において、ベッドサイドシステム１２は、ガイドワイヤを前進させるように動作する。図７Ｃは、ガイドワイヤ４０２が前進させられて接合箇所４１４を通り過ぎ、所望の経路の中へと標的病変４０８に向かっていることを示す。一実施形態において、ユーザは、制御器１６の操作によってベッドサイドシステム１２を動作させる。他実施形態において、コントローラ４０（例えばガイドワイヤナビゲーションモジュール１９２）は、ガイドワイヤを所定経路に沿って自動的に前進させるように構成される。図６のブロック３０６において、ガイドワイヤが依然として正しい経路に沿って前進していない場合、ガイドワイヤが正しい経路に配置されるまでステップ３０６〜３１０が繰り返される。一実施形態において、コントローラ４０（例えばガイドワイヤナビゲーションモジュール１９３）は、ガイドワイヤが正しい経路に存在することを指示する入力をユーザが与えるまで、ステップ３０６〜３１０の反復を自動的に繰り返すように構成される。一実施形態において、ガイドワイヤの回転量は、ガイドワイヤの後退ごとに（すなわち反復ごとに）変更される。ブロック３１２において、ガイドワイヤが所望の場所に（例えば標的病変に）位置決めされたか否かが決定される。ガイドワイヤが適切な場所に存在しない場合、プロセスはブロック３０４まで戻ってガイドワイヤが前進される。ガイドワイヤが所望の場所に存在する場合、カテーテル処置における次のステップをブロック３１４から始めてよい。例えば、作業カテーテルを位置決めして治療処置を行うことができる。
【００６８】
上述の方法に係るガイドワイヤをナビゲートするコンピュータ実行可能命令は、コンピュータ可読媒体の形態で記憶することができる。コンピュータ可読媒体は、コンピュータ可読命令、データ構造、プログラムモジュール又は他のデータのような、情報記憶のための任意の方法又は技術で実装された揮発、不揮発、取り外し可能及び取り外し不可能の媒体を含む。コンピュータ可読媒体は、ランダムアクセスメモリ（ＲＡＭ）、リードオンリーメモリ（ＲＯＭ）、電気消去可能プログラム可能ＲＯＭ（ＥＥＰＲＯＭ）、フラッシュメモリ若しくは他のメモリ技術、コンパクトディスクＲＯＭ（ＣＤ−ＲＯＭ）、デジタルバーサタイルディスク（ＤＶＤ）若しくは他の光記憶器、磁気カセット、磁気テープ、磁気ディスク記憶器若しくは他の磁気記憶装置、又は所望の命令を記憶するべく使用可能であってシステム１０（図１に示す）がアクセス可能な、インターネット又は他のコンピュータネットワークのアクセス形態を含む任意の他の媒体を含むがこれらに限られない。
【００６９】
本発明の様々な態様のさらなる修正及び代替実施形態は、本開示を考慮する当業者にとって明らかである。したがって、本明細書は、例示のみとして解釈されるべきである。様々な典型的な実施形態に示される構造及び配列は例示にすぎない。本願がここに添付される特許請求の範囲における特徴の特定の組み合わせを記載するが、本発明の様々な実施形態は、ここに記載されるいずれかの特徴の任意の組み合わせに関する。ただし、そのような組み合わせが目下のところ請求されていてもいなくてもよく、任意のそのような特徴の組み合わせが本願又は将来の出願において請求され得る。上述された典型的な実施形態のいずれかに係る特徴、要素又は構成要素は、単独で、又は上述された他の実施形態のいずれかに係る特徴、要素又は構成要素のいずれかとの組み合わせで使用することができる。本開示においてほんのわずかな実施形態が詳細に記載されているにもかかわらず、ここに記載される主題の新規な教示及び利点から実質的に逸脱することなしに多くの修正が可能である（例えば、様々な要素のサイズ、寸法、構造、形状及び比率、パラメータの値、装着配列、材料の使用、色彩又は配向等）。一体的に形成されるように示されたいくつかの要素は複数の部品又は要素から構築されてよく、要素の位置は反転又は他の変更がされてよく、離散的な要素又は位置の性質又は数は改変又は変更がされてよい。任意のプロセス、論理アルゴリズム又は方法ステップの順序又はシーケンスは、代替実施形態に応じて変更又は再シーケンス化してよい。他の置換、修正、変更及び省略もまた、本発明の範囲から逸脱することなく、様々な典型的な実施形態の設計、動作条件及び配列において行うことができる。
【図１】
2018500971.tif 000003
【図２】
2018500971.tif 000004
【図３】
2018500971.tif 000005
【図４】
2018500971.tif 000006
【図５】
2018500971.tif 000007
【図６】
2018500971.tif 000008
【図７Ａ】
2018500971.tif 000009
【図７Ｂ】
2018500971.tif 000010
【図７Ｃ】
2018500971.tif 000011
【国際調査報告】
2018500971.tif 000012